(57)【特許請求の範囲】
【請求項１】
分割構成されてその分割面の一方には係合爪が設けられ、他方には前記係合爪に係合する係合部が設けられて、前記分割面に沿ってスライドさせることにより前記係合爪を前記係合部に係合させて結合一体化される電気器具の筐体であって、外面に前記分割面にまたがって前記スライド方向と角度をなす傾斜面を設け、該傾斜面の内側に頭部を前記分割面にまたがるように前記傾斜面に突出させてスイッチを収納すると共に、該スイッチの頭部を囲む傾斜面に、板体の中央部に透孔を設けて形成された略環状であってその両側に前記分割面に対して直交方向に一対の係止爪を備えたプレートを、前記係止爪により前記透孔からスイッチが露出するように固定させたことを特徴とする電気器具の筐体。
【発明の詳細な説明】
【０００１】
【発明の属する技術分野】
本発明は、分割構成された電気器具の筐体に関するものである。
【０００２】
【従来の技術】
図５乃至図８は、実開昭６４−３４７１１号公報に開示された従来の電気器具であるスタンド型照明器具と、その筐体（第１の従来例）を示すもので、この電気器具であるスタンド型照明器具は、高周波点灯装置等の点灯装置１を収納した略角柱状の筐体２の上面に、ヒンジ部３を介して支柱４を取り付け、支柱４の先端には異なるヒンジ部５を介して灯具６を取り付けると共に、筐体２の下側には略板状のベース７を取り付けて構成されている。
【０００３】
このようなスタンド型照明器具の筐体２は、点灯装置１の筐体２内への収納をはじめとした組立てが容易にできるようにするために、スタンド型照明器具の前後方向に２つ割りされて前面側のカバーである第１のカバー２ａと、後面側のカバーである第２のカバー２ｂとされ、第２のカバー２ｂの内部には点灯装置１を収納した点灯装置取付台１ａがねじ止めされている。そして、その第１のカバー２ａの分割面２ｃ側には、分割面２ｃ側に突出するように略Ｌ字状の複数の係合爪２ｄが設けられており、第２のカバー２ｂの分割面２ｃ側であって前述の係合爪２ｄに対向する位置には、第１のカバー２ａを分割面２ｃに沿って上方にスライドさせることにより、第１のカバー２ａの係合爪２ｄに係合する係合部２ｅが設けられている。
【０００４】
また、第１のカバー２ａの前面側である分割面２ｃと反対側であってベース７近傍には、分割面２ｃと角度をなすように傾斜面２ｆが設けられると共に、その傾斜面２ｆには２つの角形の開口２ｇが設けられている。その２つの開口２ｇには、それぞれ灯具６をオン、オフするためのスイッチ８が前面側から挿入され、そのスイッチ８が、その両側壁に突出するように設けられた略く字状の係止ばね（図示せず）とスイッチ８の前板８ａにより開口２ｇの周端を挟持するように開口２ｇに係止されている。
【０００５】
また、その前面側からはスイッチ８の押し釦状の頭部８ｂが露出するようにされたプレート９が配設されて傾斜面２ｆに接着され、したがって、スイッチ８は、開口２ｇに係止された後に、点灯装置１や電源コード１０等と電気的に接続され、点灯装置取付台１ａの下面には、筐体２の下面側を塞ぐように裏板１１がねじ止めされて、係合爪２ｄと係合部２ｅとが係合された第１のカバー２ａと第２のカバー２ｂとが結合一体化される。
【０００６】
図９及び図１０は、実開平３−５６１７９号公報に開示された従来の電気器具である別のスタンド型照明器具とその筐体（第２の従来例）を示すもので、前記第１の従来例と異なる点は、筐体２と灯具６、及びスイッチ８であり、他は前記第１の従来例と略同様に構成されている。
【０００７】
このスタンド型照明器具の筐体２は、略円筒状の外形を有し、それを灯具６を配設した側である前面側から見て左右方向に２つ割りして第１のカバー２ａと第２のカバー２ｂとされて構成され、その筐体２の天面２ｈにはスイッチ８を外部に突出させるための細幅の開口２ｇを設けている。
【０００８】
灯具６は、支柱４の先端に下部のヒンジ部３とは異なるヒンジ部５を介して２灯設けられてなり、また、スイッチ８は、いわゆるタッチスイッチであって、金属部材により形成された細幅のスイッチ８であって、２本のスイッチ８が人の指の太さよりも狭い間隔を開けて突出され、一方のみに触れた場合には一方の灯具６が、両方に同時に触れた場合には両方の灯具６が点灯するように構成されたものである。
【０００９】
【発明が解決しようとする課題】
しかしながら、上述のように構成された第１の従来例に示す照明器具においては、第１のカバー２ａの傾斜面２ｆに設けた開口２ｇにスイッチ８を前面側から挿入して係止するものであるために、スイッチ８は第１のカバー２ａと第２のカバー２ｂを結合させた後に、開口２ｇに挿入して電気的接続をしなければならず、このため、器具の保守時等に筐体２を分解するには、スイッチ８の電気的接続を外し、スイッチ８を第１のカバー２ａの開口２ｇから引き抜きいた後にしか第１のカバー２ａと第２のカバー２ｂとを外すことができず、作業性が悪いという問題点があった。
【００１０】
また、第２の従来例に示す電気器具の筐体２においては、筐体２の分割面２ｃをまたいで開口２ｇが設けられているが、この開口２ｇは金属製の細幅のスイッチ８を突出させるためのものであって、この開口２ｇを利用して第１の従来例に示すスイッチ８を取り付けようとすると、その開口２ｇの寸法精度が悪くなる場合が生じてスイッチ８の取付が困難となり、開口２ｇ位置を分割面２ｃをまたがない位置に変更したり、筐体２を前後割りにする等、筐体２のデザインに制約を与えてしまうという問題点があった。また、筐体２が分割面２ｃと垂直方向には係合爪２ｄと係合部２ｅにより結合しているだけであるため、分割面２ｃで筐体２に隙間を生じ易いという問題点もあった。
【００１１】
本発明は、上記問題点に鑑みてなされもので、その目的とするところは、分解し易く、結合一体化された状態で分割面に隙間を生じにくい電気器具の筐体を提供することにある。
【００１２】
【課題を解決するための手段】
本発明は上記の問題点を解決するため、分割構成されてその分割面２ｃの一方には係合爪２ｄが設けられ、他方には前記係合爪２ｄに係合する係合部２ｅが設けられて、前記分割面に沿ってスライドさせることにより前記係合爪２ｄを前記係合部２ｅに係合させて結合一体化される電気器具の筐体２であって、外面に前記分割面２ｃにまたがって前記スライド方向と角度をなす傾斜面２ｆを設け、該傾斜面２ｆの内側に頭部８ｂを前記分割面２ｃにまたがるように前記傾斜面２ｆに突出させてスイッチ８を収納すると共に、該スイッチ８の頭部８ｂを囲む傾斜面２ｆに、板体の中央部に透孔９ｂを設けて形成された略環状であってその両側に前記分割面２ｃに対して直交方向に一対の係止爪９ａを備えたプレート９を、前記係止爪９ａにより前記透孔９ｂからスイッチ８が露出するように固定させたことを特徴とするものである。
【００１３】
【発明の実施の形態】
図１乃至図４は、本発明の電気器具の筐体の一実施の形態を示すものであり、この電気器具であるスタンド型照明器具は、高周波点灯装置等の点灯装置１を収納した筐体２の上面に、ヒンジ部３を介して支柱４を取り付け、支柱４の先端には異なるヒンジ部５を介して灯具６を取り付けると共に、筐体２の下側には略板状のベース７を取り付け、筐体２の下部にスイッチ８を側方にプレート９を配設して構成されている。
【００１４】
このような電気器具であるスタンド型照明器具の筐体２は、点灯装置１の筐体２内への収納をはじめとした組立てが容易にできるようにするために、灯具６を前面側としたとき、スタンド型照明器具の左右方向に２つ割りされて第１のカバー２ａと、第２のカバー２ｂとされ、その一方である例えば第２のカバー２ｂの内面側に、点灯装置１を収納した点灯装置取付台１ａがねじ止めされている。そして、その第２のカバー２ｂの分割面２ｃ側には、分割面２ｃ側に突出して先端が上方に向くようにされた略Ｌ字状の複数の係合爪２ｄが設けられており、第１のカバー２ａの分割面２ｃ側であって前述の係合爪２ｄに対向する位置には、第１のカバー２ａを分割面２ｃに沿って下方にスライドさせることにより、第１のカバー２ａの係合爪２ｄに係合する係合部２ｅが設けられている。
【００１５】
また、第１のカバー２ａと第２のカバー２ｂの前面側のベース７側近傍には、分割面２ｃをまたいで筐体２の結合時のスライド方向と角度をなすように傾斜面２ｆが形成されている。そして、その傾斜面２ｆであって分割面２ｃと交わる部分には、それぞれ平面視で略半円状の切り欠き２ｋが設けられ、その切り欠き２ｋにはそれぞれ、切り欠き２ｋに連続して切り欠き２ｋの一部をさらに切り欠いて形成した細溝２ｍが設けられている。
【００１６】
スイッチ８は、略Ｌ字状をなすスイッチ取付台１２の一方の片１２ａに設けられた開口１２ｂに、スイッチ８の側壁８ｃに設けられた略く字状の係止ばね（図示せず）とスイッチ８の前板８ａにより開口１２ａの周端を挟持させるようにして係止されている。そして、スイッチ取付台１２の他方の片１２ｃを、例えば第２のカバー２ｂの内面側にビス１３により取り付けて固定され、スイッチ８の頭部８ｂが切り欠き２ｋから突出するようにされている。
【００１７】
プレート９は、円板状の板体の中央部に透孔９ｂを設けて形成された略環状であって、その両端には板体の一面側であって、その板体に略垂直方向に突出した一対の係止爪９ａが設けられてなり、その一対の係止爪９ａが、スイッチ８等を収納して結合一体化された筐体２の細溝２ｍにそれぞれ挿入されて係止され、プレート９の中央の透孔９ｂからはスイッチ８の頭部８ｂが露出するように構成されている。
【００１８】
したがって、このように構成された電気器具であるスタンド型照明器具では、その組立て時には、まず、第２のカバー２ｂに点灯装置取付台１ａを介して点灯装置１を取り付け、支柱４を組み合わせると共に、スイッチ８をスイッチ取付台１２を介して第２のカバー２ｂに取り付ける。そして、内部の電気的接続を行った後に、第１のカバー２ａを分割面２ｃに沿って下方にスライドさせて、係合爪２ｄを係合部２ｅに係合させ、さらにその後に下方から裏板１１を取り付けると共に、傾斜面２ｆにプレート９を、傾斜面２ｆに設けた細溝２ｍに係止爪９ａをはめ込んで係止させることにより取り付ける。さらに、筐体２の下部にはベース７を、支柱４の先端には灯具６を取り付けて組立てられる。
【００１９】
このように構成されているため、本実施の形態における電気器具の筐体においては、裏板１１を外して分割構成された筐体２の一方側である第１のカバー２ａを分割面２ｃに沿って上方にスライドさせれば、プレート９が分割面２ｃをまたいでスライド方向と角度をなす傾斜面２ｆに設けられているため、そのスライドに伴って容易に外れて、筐体２が分解されて点灯装置１等の内部の収納物を露出させることができ、保守時等の分解作業の作業性が良くなる。また、プレート９が筐体２の分割面２ｃをまたいでスイッチ８の頭部８ｂを囲うように設けられているため、スイッチ８の部分の美観が向上すると共に、筐体２を構成する第１のカバー２ａと第２のカバー２ｂとが分割面２ｃと垂直方向に開くことが防止できる。
【００２０】
なお、上記実施の形態においては、電気器具をスタンド型照明器具として説明を行ったが、本発明はこれに限らず、例えば吊り下げ型照明器具や壁付型照明器具等のどのようなものであっても良く、また、そのときスイッチも上述したタイプに限られるものではない。
【００２１】
【発明の効果】
このように構成されているため本発明は、分割構成された筐体の一方を分割面に沿ってスライドさせれば、プレートが分割面をまたいでスライド方向と角度をなす傾斜面に設けられているため、そのスライドに伴って容易に外れて、筐体が分解されて内部の収納物を露出させることができ、保守時等の分解作業の作業性が良くなる。また、プレートが分割面をまたいでスイッチの頭部を囲うように設けられているため、スイッチの部分の美観が向上すると共に、分割構成された筐体が分割面に対して垂直方向に開くことが防止できる。
【図面の簡単な説明】
【図１】本発明の電気器具の筐体の一実施の形態を示すもので、(a) は筐体を備えた電気器具であるスタンド型照明器具の斜視図、(b) は筐体の部分の分解斜視図である。
【図２】同上の筐体部の一部断面側面図である。
【図３】同上のスイッチ部を示す分解斜視図である。
【図４】同上のプレート部を示すもので、(a) はプレートの側面図、(b) はプレートの筐体への装着を説明する分解斜視図である。
【図５】従来の電気器具の筐体（第１の従来例）を備えた、電気器具であるスタンド型照明器具を示す斜視図である。
【図６】同上の筐体部の一部断面側面図である。
【図７】同上の筐体部の分解斜視図である。
【図８】同上のスイッチ部を示す分解斜視図である。
【図９】従来の別の電気器具の筐体（第２の従来例）を備えた、電気器具であるスタンド型照明器具を示す斜視図である。
【図１０】同上の筐体部の背面図である。
【符号の説明】
２      筐体
２ｃ    分割面
２ｄ    係合爪
２ｅ    係合部
２ｆ    傾斜面
８      スイッチ
８ｂ    頭部
９      プレート
９ａ    係止爪
【図１】
0003700206.tif 000002
【図２】
0003700206.tif 000003
【図３】
0003700206.tif 000004
【図４】
0003700206.tif 000005
【図５】
0003700206.tif 000006
【図６】
0003700206.tif 000007
【図７】
0003700206.tif 000008
【図８】
0003700206.tif 000009
【図９】
0003700206.tif 000010
【図１０】
0003700206.tif 000011